(57)【要約】  【課題】  ユーザに不正に使用されることを容易に防止すること。  【解決手段】  認証コードを許可動作群に対応付ける許可動作データベース３１と、認証タグ１４に記録される読取認証コードをタグ読取装置１７から収集する認証コード読取部３４と、実行部３８とを備えている。実行部３８は、許可動作群のうちの読取認証コードに対応する対応許可動作群が入力装置２０により指示された指示動作を含むときに、指示動作を実行する。実行部３８は、さらに、認証コード読取部３４により読取バッジコードが読み取られないときに、または、許可動作群のうちの読取認証コードに対応する対応許可動作群が入力装置２０により指示された指示動作を含まないときに、指示動作を実行しない。このとき、原子力用定検支援装置１は、作業者５が認証タグ１４を携帯しているときにのみ、作業者５に許可された動作のみを実行する。  【選択図】図１
2005121453.tif 000002
【特許請求の範囲】
【請求項１】
認証コードを許可動作群に対応付ける許可動作データベースと、
認証タグに記録される読取認証コードをタグ読取装置から収集する認証コード読取部と、
前記許可動作データベースを参照して、前記許可動作群のうちの前記読取認証コードに対応する対応許可動作群が入力装置により指示された指示動作を含むときに、前記指示動作を実行する実行部とを具備し、
前記認証タグは、前記タグ読取装置から出力される質問電波を受信したときに、前記質問電波から変換された電気エネルギーを用いて前記読取認証コードを示す応答電波を出力し、
前記タグ読取装置は、前記応答電波を受信して前記読取認証コードを生成する
原子力用定検支援装置。
【請求項２】
請求項１において、
前記認証タグは、放射能の汚染を防止するために着用される作業衣が備える
原子力用定検支援装置。
【請求項３】
請求項１において、
前記認証タグは、放射能の汚染を防止するために着用される手袋が備える
原子力用定検支援装置。
【請求項４】
請求項１において、
前記認証タグは、被爆線量を測定するための個人被曝線量測定用具が備える
原子力用定検支援装置。
【請求項５】
請求項１において、
前記認証タグは、放射線管理区域の出入り口を開放するときに用いられる入退場タグと兼用される
原子力用定検支援装置。
【請求項６】
請求項１において、
被爆線量を測定するための個人被曝線量測定用具が備える検出器タグに記録される読取検出器コードを前記タグ読取装置から収集する検出器コード読取部を更に具備し、
前記実行部は、前記検出器コード読取部により前記読取検出器コードが読み取られたときに、前記指示動作を実行し、
前記検出器タグは、前記タグ読取装置から出力される質問電波を受信したときに、前記質問電波から変換された電気エネルギーを用いて前記読取検出器コードを示す応答電波を出力し、
前記タグ読取装置は、前記応答電波を受信して前記読取検出器コードを生成する
原子力用定検支援装置。
【請求項７】
請求項６において、
検出器コードを前記認証コードに対応付ける検出器データベースを更に具備し、
前記実行部は、前記検出器データベースを参照して、前記認証コードのうちの前記読取検出器コードに対応する対応認証コードが前記読取認証コードに一致するときに、前記指示動作を実行する
原子力用定検支援装置。
【請求項８】
請求項１、請求項６または請求項７のいずれかにおいて、
放射線管理区域の出入り口を開放するときに用いられる入退場タグに記録される読取入退場コードを前記タグ読取装置から収集する入退場コード読取部を更に具備し、
前記実行部は、前記入退場コード読取部により前記読取入退場コードが読み取られたときに、前記指示動作を実行し、
前記入退場タグは、前記タグ読取装置から出力される質問電波を受信したときに、前記質問電波から変換された電気エネルギーを用いて前記読取入退場コードを示す応答電波を出力し、
前記タグ読取装置は、前記応答電波を受信して前記読取入退場コードを生成する
原子力用定検支援装置。
【請求項９】
請求項８において、
入退場コードを前記認証コードに対応付ける入退場データベースを更に具備し、
前記実行部は、前記入退場データベースを参照して、前記認証コードのうちの前記読取入退場コードに対応する対応認証コードが前記読取認証コードに一致するときに、前記指示動作を実行する
原子力用定検支援装置。
【請求項１０】
請求項１〜請求項９のいずれかにおいて、
前記入力装置に実施された操作に応答して、記録されている文書に前記読取認証コードを添付する認証部
を更に具備する原子力用定検支援装置。
【請求項１１】
認証コードを許可動作群に対応付ける許可動作データベースと、
認証タグに記録される読取認証コードをタグ読取装置から収集する認証コード読取部と、
前記許可動作データベースを参照して、前記許可動作群のうちの前記読取認証コードに対応する対応許可動作群が入力装置により指示された指示動作を含むときに、前記指示動作を実行する実行部とを具備し、
前記認証タグは、前記タグ読取装置から出力される質問電波を受信したときに、前記質問電波から変換された電気エネルギーを用いて前記読取認証コードを示す応答電波を出力し、
前記タグ読取装置は、前記応答電波を受信して前記読取認証コードを生成する
情報処理装置。
【請求項１２】
請求項１１に記載される情報処理装置とともに利用される作業衣であり、
前記認証タグと、
前記認証タグを備え、放射能の汚染を防止するために着用される作業衣本体
とを具備する作業衣。
【請求項１３】
請求項１１に記載される情報処理装置とともに利用される手袋であり、
前記認証タグと、
前記認証タグを備え、放射能の汚染を防止するために着用される手袋本体
とを具備する手袋。
【請求項１４】
請求項１１に記載される情報処理装置とともに利用される個人被曝線量測定用具であり、
前記認証タグと、
前記認証タグを備え、被爆線量を測定するための個人被曝線量測定用具本体
とを具備する個人被曝線量測定用具。
【請求項１５】
請求項１１に記載される情報処理装置とともに利用される入退場タグであり、
前記認証タグと、
前記認証タグを備え、読取入退場コードを記録する入退場タグ本体とを具備し、
前記入退場タグは、放射線管理区域の出入り口から出力される他の質問電波を受信したときに、前記他の質問電波から変換された電気エネルギーを用いて前記読取入退場コードを示す他の応答電波を出力し、
前記出入り口は、受信電波が所定のコードを示すときに開放する
入退場タグ。
【発明の詳細な説明】
【技術分野】
【０００１】
本発明は、原子力用定検支援装置に関し、特に、放射能の汚染を防止するために設置される放射線管理区域で使用される原子力用定検支援装置に関する。
【背景技術】
【０００２】
原子力発電所は、安全性、信頼性を確保するために定期的に定期検査が実行されている。その定期検査の検査結果は、作業者により紙に記入され、その紙に監督者によりサインされることにより認証される。放射線を取り扱う施設には、放射線障害を防止するための管理区域が設けられている。その管理区域では、放射性廃棄物を増加させないために、物を持ち込まないことが望まれている。定期検査は、コンピュータを用いて効率よく実施されることが望まれる。
【０００３】
コンピュータを用いた定期検査では、そのコンピュータが不正に使用されることを容易に防止するために、作業者は、自身のＩＤとパスワードとを入力してその検査結果を入力し、監督者は、自身のＩＤとパスワードとを入力してその検査結果を認証する。作業者は、管理区域で作業するときに、放射能の汚染を防止するための防護服・手袋を着用する必要がある。手袋の着用は、キーボードを用いた情報入力を困難にすることがある。管理区域で使用されるコンピュータは、操作がより容易であることが望まれている。
【０００４】
作業者は、さらに、管理区域で作業するときに、正規の手続きを経て入場し、被爆線量を測定するフィルムバッジを携帯する必要がある。ユーザに放射能の汚染を防止する作業衣・手袋をより確実に着用させ、ユーザに放射線の線量を検出する個人被爆線量測定用具をより確実に携帯させ、ユーザが不正に放射線管理区域に入退場することを防止するシステムが望まれている。
【発明の開示】
【発明が解決しようとする課題】
【０００５】
本発明の課題は、ユーザに不正に使用されることを容易に防止する原子力用定検支援装置を提供することにある。
本発明の他の課題は、ユーザに放射能の汚染を防止する作業衣・手袋をより確実に着用させる原子力用定検支援装置を提供することにある。
本発明のさらに他の課題は、ユーザに放射線の線量を検出する個人被爆線量測定用具をより確実に携帯させる原子力用定検支援装置を提供することにある。
本発明のさらに他の課題は、ユーザに正規の個人被爆線量測定用具をより確実に携帯させる原子力用定検支援装置を提供することにある。
本発明のさらに他の課題は、ユーザが不正に放射線管理区域に入退場することを防止する原子力用定検支援装置を提供することにある。
本発明のさらに他の課題は、操作が容易である原子力用定検支援装置を提供することにある。
【課題を解決するための手段】
【０００６】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００７】
本発明による原子力用定検支援装置（１）は、認証コードを許可動作群に対応付ける許可動作データベース（３１）と、認証タグ（１４）に記録される読取認証コードをタグ読取装置（１７）から収集する認証コード読取部（３４）と、実行部（３８）とを備えている。認証タグ（１４）は、タグ読取装置（１７）から出力される質問電波を受信したときに、質問電波から変換された電気エネルギーを用いて読取認証コードを示す応答電波を出力し、タグ読取装置（１７）は、応答電波を受信して読取認証コードを生成する。
【０００８】
実行部（３８）は、許可動作データベース（３１）を参照して、許可動作群のうちの読取認証コードに対応する対応許可動作群が入力装置（２０）により指示された指示動作を含むときに、指示動作を実行する。実行部（３８）は、認証コード読取部（３４）により読取バッジコードが読み取られないときに、または、許可動作群のうちの読取認証コードに対応する対応許可動作群が入力装置（２０）により指示された指示動作を含まないときに、指示動作を実行しない。すなわち、原子力用定検支援装置（１）は、ユーザ（５）が認証タグ（１４）を携帯しているときにのみ、ユーザ（５）に許可された動作を実行する。このため、原子力用定検支援装置（１）は、使用を許可されていないユーザに不正に使用されることが防止される。
【０００９】
認証タグ（１４）は、放射能の汚染を防止するために着用される作業衣（１１）が備えている。このとき、原子力用定検支援装置（１）は、その作業衣（１１）を着用しているユーザ（５）に操作されたときにのみ、動作する。このため、原子力用定検支援装置（１）は、ユーザ（５）に作業衣（１１）をより確実に着用させることができる。
【００１０】
認証タグ（１４）は、放射能の汚染を防止するために着用される手袋が備えている。原子力用定検支援装置（１）は、その手袋を着用しているユーザ（５）に操作されたときにのみ、動作する。このため、原子力用定検支援装置（１）は、ユーザ（５）に手袋をより確実に着用させることができる。
【００１１】
認証タグ（１４）は、被爆線量を測定するための個人被曝線量測定用具（１２）が備えている。個人被曝線量測定用具（１２）としては、フィルムバッジ、ポケットチャンバー、フィルムリングが例示される。原子力用定検支援装置（１）は、個人被曝線量測定用具（１２）を携帯しているユーザ（５）に操作されたときにのみ、動作する。このため、原子力用定検支援装置（１）は、ユーザ（５）に個人被曝線量測定用具（１２）をより確実に携帯させることができる。
【００１２】
認証タグ（１４）は、放射線管理区域（６）の出入り口を開放するときに用いられる入退場タグ（１３）と兼用される。原子力用定検支援装置（１）は、入退場タグ（１３）を携帯しているユーザ（５）に操作されたときにのみ、動作する。このため、原子力用定検支援装置（１）は、ユーザ（５）が不正に放射線管理区域（６）に入退場することを防止することができる。
【００１３】
本発明による原子力用定検支援装置（１）は、被爆線量を測定するための個人被曝線量測定用具（１２）が備えている検出器タグ（１５）に記録される読取検出器コードをタグ読取装置（１７）から収集する検出器コード読取部（３５）を更に備えている。実行部（３８）は、検出器コード読取部（３５）により読取検出器コードが読み取られたときに、指示動作を実行する。検出器タグ（１５）は、タグ読取装置（１７）から出力される質問電波を受信したときに、質問電波から変換された電気エネルギーを用いて読取検出器コードを示す応答電波を出力する。タグ読取装置（１７）は、その応答電波を受信して読取検出器コードを生成する。個人被曝線量測定用具（１２）としては、フィルムバッジ、ポケットチャンバー、フィルムリングが例示される。このとき、原子力用定検支援装置（１）は、個人被曝線量測定用具（１２）を携帯しているユーザ（５）に操作されたときにのみ、動作する。このため、原子力用定検支援装置（１）は、ユーザ（５）に個人被曝線量測定用具（１２）をより確実に携帯させることができる。
【００１４】
本発明による原子力用定検支援装置（１）は、検出器コードを認証コードに対応付ける検出器データベース（３２）を更に備えている。実行部（３８）は、検出器データベース（３２）を参照して、認証コードのうちの読取検出器コードに対応する対応認証コードが読取認証コードに一致するときに、指示動作を実行する。このとき、原子力用定検支援装置（１）は、誤った個人被曝線量測定用具（１２）を携帯しているユーザ（５）に操作されたときに、動作しない。このため、原子力用定検支援装置（１）は、ユーザ（５）に正規の個人被曝線量測定用具（１２）をより確実に携帯させることができる。
【００１５】
本発明による原子力用定検支援装置（１）は、放射線管理区域（６）の出入り口を開放するときに用いられる入退場タグ（１３）に記録される読取入退場コードをタグ読取装置（１７）から収集する入退場コード読取部（３６）を更に備えている。実行部（３８）は、入退場コード読取部（３６）により読取入退場コードが読み取られたときに、指示動作を実行する。入退場タグ（１３）は、タグ読取装置（１７）から出力される質問電波を受信したときに、質問電波から変換された電気エネルギーを用いて読取入退場コードを示す応答電波を出力し、タグ読取装置（１７）は、その応答電波を受信して読取入退場コードを生成する。このとき、原子力用定検支援装置（１）は、入退場タグ（１３）を携帯していないユーザ（５）に操作されたときに、動作しない。このため、原子力用定検支援装置（１）は、ユーザ（５）に正式な手続きで放射線管理区域（６）に入退場させることができる。
【００１６】
本発明による原子力用定検支援装置（１）は、入退場コードを認証コードに対応付ける入退場データベース（３３）を更に備えている。実行部（３８）は、入退場データベース（３３）を参照して、認証コードのうちの読取入退場コードに対応する対応認証コードが読取認証コードに一致するときに、指示動作を実行する。このとき、原子力用定検支援装置（１）は、誤った入退場タグ（１３）を携帯しているユーザ（５）に操作されたときに、動作しない。このため、原子力用定検支援装置（１）は、ユーザ（５）に正規の入退場タグ（１３）をより確実に携帯させることができる。
【００１７】
本発明による原子力用定検支援装置（１）は、入力装置（２０）に実施された操作に応答して、記録されている文書に読取認証コードを添付する認証部（３７）を更に備えている。このとき、ユーザ（５）は、ＩＤとパスワードとを入力することより、容易に文書を認証することができる。
【００１８】
本発明による情報処理装置は、認証コードを許可動作群に対応付ける許可動作データベース（３１）と、認証タグ（１４）に記録される読取認証コードをタグ読取装置（１７）から収集する認証コード読取部（３４）と、許可動作データベース（３１）を参照して、許可動作群のうちの読取認証コードに対応する対応許可動作群が入力装置（２０）により指示された指示動作を含むときに、指示動作を実行する実行部（３８）とを備えている。認証タグ（１４）は、タグ読取装置（１７）から出力される質問電波を受信したときに、質問電波から変換された電気エネルギーを用いて読取認証コードを示す応答電波を出力し、タグ読取装置（１７）は、応答電波を受信して読取認証コードを生成する。
【００１９】
実行部（３８）は、許可動作データベース（３１）を参照して、許可動作群のうちの読取認証コードに対応する対応許可動作群が入力装置（２０）により指示された指示動作を含むときに、指示動作を実行する。実行部（３８）は、認証コード読取部（３４）により読取バッジコードが読み取られないときに、または、許可動作群のうちの読取認証コードに対応する対応許可動作群が入力装置（２０）により指示された指示動作を含まないときに、指示動作を実行しない。すなわち、原子力用定検支援装置（１）は、ユーザ（５）が認証タグ（１４）を携帯しているときにのみ、ユーザ（５）に許可された動作を実行する。このため、原子力用定検支援装置（１）は、使用を許可されていないユーザに不正に使用されることが防止される。
【００２０】
本発明による作業衣（１１）は、本発明による情報処理装置（１６）とともに利用される作業衣（１１）であり、認証タグ（１４）と、認証タグ（１４）を備えている作業衣本体とを備えていることが好ましい。作業衣（１１）は、ユーザ（５）に着用されて、放射能の汚染を防止するために利用される。
【００２１】
本発明による手袋は、本発明による情報処理装置（１６）とともに利用される手袋であり、認証タグ（１４）と、認証タグ（１４）を備えている手袋本体とを備えていることが好ましい。その手袋は、ユーザ（５）に着用され、放射能の汚染を防止するために利用される。
【００２２】
本発明による個人被曝線量測定用具（１２）は、本発明による情報処理装置（１６）に利用される個人被曝線量測定用具であり、認証タグ（１４）と、認証タグ（１４）を備えている被爆線量を測定するための個人被曝線量測定用具本体とを備えていることが好ましい。このような個人被曝線量測定用具本体としては、フィルムバッジ、ポケットチャンバー、フィルムリングが例示される。
【００２３】
本発明による入退場タグ（１３）は、本発明による情報処理装置とともに利用される入退場タグであり、認証タグ（１４）と、認証タグ（１４）を備えている入退場タグ（１３）本体とを備えていることが好ましい。入退場タグ（１３）は、。読取入退場コードを記録し、放射線管理区域（６）の出入り口から出力される他の質問電波を受信したときに、他の質問電波から変換された電気エネルギーを用いて読取入退場コードを示す他の応答電波を出力し、出入り口は、受信電波が所定のコードを示すときに開放する。
【発明の効果】
【００２４】
本発明による原子力用定検支援装置は、ユーザに不正に使用されることを容易に防止することができる。
【発明を実施するための最良の形態】
【００２５】
図面を参照して、本発明による原子力用定検支援装置の実施の形態を記載する。その原子力用定検支援装置１は、図１に示されているように、原子力用定検支援システム２に適用されている。原子力用定検支援システム２は、原子力発電所の定期検査に利用され、ＰＨＳ回線３を介して複数の情報処理装置（コンピュータ）が互いに双方向に情報を伝送することができるように接続されている。その複数の情報処理装置は、原子力用定検支援装置１とサーバ４とから形成されている。
【００２６】
原子力用定検支援装置１は、ＰＤＡ（携帯用電子端末機）に例示される情報処理装置であり、作業者５により使用されている。作業者５は、原子力用定検支援装置１を用いて、放射能の汚染を防止するために設置されている管理区域６で作業する。作業者５は、管理区域６で、防護服１１を着用し、フィルムバッジ１２と入退場タグ１３とを携帯している。すなわち、作業者５は、防護服１１を着用して管理区域６に入場し、防護服１１を脱衣して管理区域６を退出する。このようにして、防護服１１は、管理区域６の外側の環境が放射能により汚染されることを防止している。
【００２７】
フィルムバッジ１２は、作業者５の外部被曝による線量当量を測定している。入退場タグ１３は、管理区域６に入退場するときに鍵として利用される入退場コードを記憶し、質問電波を受信すると、その電波を電気エネルギーに変換し、その電気エネルギーを用いてその入退場コードを示す応答電波を出力する。管理区域６は、出入り口にタグ読取装置が設置されている。そのタグ読取装置は、質問電波を出力し、入退場タグ１３から出力される応答電波を受信したときに、その出入り口を開放して、作業者５の入退場を許可する。
【００２８】
防護服１１には、認証タグ１４が綴じ付けてある。認証タグ１４は、作業者５を識別する認証コードを記憶し、質問電波を受信すると、その電波を電気エネルギーに変換し、その電気エネルギーを用いてその認証コードを示す応答電波を出力する。フィルムバッジ１２は、バッジタグ１５を備えている。バッジタグ１５は、フィルムバッジ１５を識別するバッジコードを記憶し、質問電波を受信すると、その電波を電気エネルギーに変換し、その電気エネルギーを用いてそのバッジコードを示す応答電波を出力する。
【００２９】
入退場タグ１３と認証タグ１４とバッジタグ１５とに利用されている技術は、周知であり、商品に貼付されて万引防止に利用され、または、鉄道の出改札システムに利用されている。なお、入退場タグ１３は、認証タグ１４に兼用されることもでき、このとき質問電波に応答して入退場コードと認証コードとを示す応答電波を出力する。さらに、バッジタグ１５は、認証タグ１４に兼用されることもでき、このとき質問電波に応答して、バッジコードと認証コードとを示す応答電波を出力する。
【００３０】
なお、防護服１１は、放射能の汚染を防止する他の用具に置換することができる。その用具としては、手袋、眼鏡が例示される。フィルムバッジ１２は、被曝による線量当量を測定する他の個人被曝線量測定用具に置換することができる。その個人被曝線量測定用具としては、ポケットチャンバー、フィルムリングが例示される。
【００３１】
原子力用定検支援装置１は、情報処理装置１６とタグ読取装置１７とＰＨＳデータ通信装置１８とデジタルカメラ１９と入力装置２０とを備えている。情報処理装置１６は、インストールされているコンピュータプログラムを実行し、タグ読取装置１７とＰＨＳデータ通信装置１８とデジタルカメラ１９と入力装置２０とを制御する。情報処理装置１６としては、ＰＤＡが例示される。
【００３２】
タグ読取装置１７は、情報処理装置１６の指示により質問電波を出力し、入退場タグ１３と認証タグ１４とバッジタグ１５とから出力される応答電波が示す情報を情報処理装置１６に通知する。ＰＨＳデータ通信装置１８は、情報処理装置１６の指示により電波を介してＰＨＳ回線３に接続し、ＰＨＳ回線３を介してサーバ４に情報を送信し、ＰＨＳ回線３を介してサーバ４から情報を収集する。デジタルカメラ１９は、被写体の画像を撮像して、その画像を情報処理装置１６に送信する。入力装置２０は、作業者５により操作される操作内容を電気信号に変換して、情報処理装置１６に出力する。
【００３３】
サーバ６は、ワークステーションに例示される情報処理装置であり、管理区域６の外部の環境に設置されている事務所７に配置されている。サーバ４は、管理区域６での作業の作業手順、検査結果を記録している。サーバ６は、原子力用定検支援装置１から情報を要求されたときに、その情報を原子力用定検支援装置１に配信する。サーバ６は、さらに、ＰＨＳ回線網３が備えるアンテナのうちの原子力用定検支援装置１と通信するアンテナの位置を収集して、原子力用定検支援装置１の位置を収集する。
【００３４】
図２は、情報処理装置１６をより詳細に示している。情報処理装置１６は、コンピュータプログラムである許可動作データベース３１とバッジデータベース３２と入退場タグデータベース３３と認証コード読取部３４とバッジコード読取部３５と入退場コード読取部３６と認証部３７と実行部３８とがインストールされている。
【００３５】
許可動作データベース３１は、情報処理装置１６が実行することができる動作のうちの作業者５に許可されている動作を記録している。バッジデータベース３２は、バッジコードが記録されている。入退場タグデータベース３３は、入退場コードが記録されている。認証コード読取部３４は、タグ読取装置１７を用いて、認証タグ１４に記録されている認証コードを収集する。バッジコード読取部３５は、タグ読取装置１７を用いて、バッジタグ１５に記録されているバッジコードを収集する。入退場コード読取部３６は、タグ読取装置１７を用いて、入退場タグ１３に記録されている入退場コードを収集する。
【００３６】
認証部３７は、認証コード読取部３４により収集された認証コードを用いて、記録されている文書が正当な手続きで記載されたことを認証する。すなわち、認証部３７は、その文書を認証するための操作が入力装置２０になされたときに、その文書にその認証コードを添付して、作業者５がその文書を認証したことを示す。実行部３８は、作業者５により入力装置２０が操作された場合で、許可動作データベース３１とバッジデータベース３２と入退場データベース３３とを参照して、その操作が示す動作が作業者５に許可されている動作であるときに、その動作を実行する。その動作としては、検査結果を入力する動作、検査結果をサーバ４にアップロードする動作、サーバ４から検査結果をダウンロードして閲覧する動作が例示される。
【００３７】
図３は、許可動作データベース３１を示している。許可動作データベース３１は、認証コード４１を作業者４２に対応付けて記録している。許可動作データベース３１は、さらに、認証コード４１に対応付けて作業者に許可された動作４３を記録している。認証コード４１は、認証タグ１４の１つに記録されている認証コードを示している。作業者４２は、その認証コードを記録している認証タグ１４を携帯する作業者５を示している。許可された動作４３は、情報処理装置１６が実行することができる動作のうちのその作業者５に許可されている動作を示し、サーバ４からダウンロードが許可されているファイルを示している。
【００３８】
図４は、バッジデータベース３２を示している。バッジデータベース３２は、バッジコード４４を作業者４５に対応付けて記録している。バッジコード４４は、バッジタグ１５の１つに記録されているバッジコードを示している。作業者４５は、そのバッジコードを記録しているバッジタグ１５を備えるフィルムバッジ１２を携帯する作業者５を示している。
【００３９】
図５は、入退場タグデータベース３３を示している。入退場タグデータベース３３は、入退場コード４６を作業者４７に対応付けて記録している。入退場コード４６は、入退場タグ１３の１つに記録されている入退場コードを示している。作業者４７は、その入退場コードを記録している入退場タグ１３を携帯する作業者５を示している。
【００４０】
本発明による原子力用定検支援装置１の動作は、原子力用定検支援装置１に記録されている文書を認証する動作と、認証以外の動作を実行するときの動作とを備えている。
【００４１】
図６は、原子力用定検支援装置１に記録されている文書を認証する動作を示している。作業者５は、まず、入力装置２０を操作して、原子力用定検支援装置１に記録されている文書のうちの認証すべき１つの文書を認証するための操作をする（ステップＳ１）。原子力用定検支援装置１は、その認証の操作に応答して、タグ読取装置１７を用いて質問電波を出力する。その作業者５が防護服１１を着用しているときに、すなわち、その作業者５が認証タグ１４を携帯しているときに、認証タグ１４は、その質問電波に応答して認証コードを示す応答電波を出力する。
【００４２】
原子力用定検支援装置１は、その応答電波を受信しないときに（ステップＳ２；ＮＯ）、その文書を認証しない（ステップＳ３）。原子力用定検支援装置１は、その応答電波を受信したときに（ステップＳ２；ＹＥＳ）、その応答電波が示す認証コードをその文書に添付して、その文書が正当な手続きで記載されたことを認証する（ステップＳ４）。このような動作によれば、作業者５は、ＩＤとパスワードとを入力することより、文書を容易に認証することができる。
【００４３】
図７は、原子力用定検支援装置１が認証以外の動作を実行するときの動作を示している。作業者５は、まず、入力装置２０を操作して、原子力用定検支援装置１に実行させたい動作を指示する（ステップＳ１１）。その動作としては、検査結果を入力する動作、検査結果をサーバ４にアップロードする動作、サーバ４から検査結果をダウンロードして閲覧する動作が例示される。
【００４４】
原子力用定検支援装置１は、その操作に応答して、タグ読取装置１７を用いて質問電波を出力する。作業者５が防護服１１を着用しているときに、すなわち、その作業者５が認証タグ１４を携帯しているときに、認証タグ１４は、その質問電波に応答して認証コードを示す応答電波を出力する。作業者５がフィルムバッジ１２を携帯しているときに、すなわち、その作業者５がバッジタグ１５を携帯しているときに、バッジタグ１５は、その質問電波に応答してバッジコードを示す応答電波を出力する。作業者５が入退場タグ１３を携帯しているときに、入場者タグ１３は、その質問電波に応答して入場者コードを示す応答電波を出力する。
【００４５】
原子力用定検支援装置１は、その認証コードを示す応答電波を受信したときに、許可動作データベース３１を参照して、その認証コードに対応する許可された動作に作業者５により指示された動作が含まれるかどうかを判別する（ステップＳ１２）。原子力用定検支援装置１は、さらに、そのバッジコードを示す応答電波を受信したときに、バッジデータベース３２を参照して、そのバッジコードに対応する作業者がその認証コードに対応する作業者に一致しているかどうかを判別する（ステップＳ１３）。原子力用定検支援装置１は、さらに、その入退場コードを示す応答電波を受信したときに、入退場タグデータベース３３を参照して、その入退場コードに対応する作業者がその認証コードに対応する作業者に一致しているかどうかを判別する（ステップＳ１４）。
【００４６】
原子力用定検支援装置１は、作業者５により指示された動作が許可され（ステップＳ１２、ＹＥＳ）、そのバッジコードが認証コードに対応し（ステップＳ１３、ＹＥＳ）、かつ、その入退場コードが認証コードに対応しているときに（ステップＳ１４、ＹＥＳ）、その動作を実行する（ステップＳ１６）。原子力用定検支援装置１は、認証コードを示す応答電波を受信しないときに（ステップＳ１２、ＮＯ）、バッジコードを示す応答電波を受信しないときに（ステップＳ１３、ＮＯ）、または、入退場コードを示す応答電波を受信しないときに（ステップＳ１４、ＮＯ）、その動作を実行しない。原子力用定検支援装置１は、作業者５により指示された動作が許可されないときに（ステップＳ１２、ＮＯ）、そのバッジコードが認証コードに対応しないときに（ステップＳ１３、ＹＥＳ）、または、その入退場コードが認証コードに対応しないときに（ステップＳ１４、ＹＥＳ）、その動作を実行しない。
【００４７】
すなわち、原子力用定検支援装置１は、作業者５に許可されている動作のみを実行する。このため、原子力用定検支援装置１は、使用を許可されていないユーザに不正に使用されることが防止される。
【００４８】
このような動作によれば、作業者５は、その防護服１１を着用し、正規のフィルムバッジ１２と正規の入退場タグ１３とを携帯しているときにのみ、原子力用定検支援装置１を操作することができる。この結果、は、その手袋を着用している作業者５に操作されたときにのみ、動作する。このため、原子力用定検支援装置１は、作業者５に手袋をより確実に着用させることができる。原子力用定検支援装置１は、原子力用定検支援装置１を使用する作業者５に正規のフィルムバッジ１２と正規の入退場タグ１３とををより確実に携帯させることができる。
【図面の簡単な説明】
【００４９】
【図１】図１は、原子力用定検支援システムを示すブロック図である。
【図２】図２は、本発明による原子力用定検支援装置の実施の形態を示すブロック図である。
【図３】図３は、許可動作データベースを示す図である。
【図４】図４は、バッジデータベースを示す図である。
【図５】図５は、入退場タグデータベースを示す図である。
【図６】図６は、原子力用定検支援装置に記録されている文書を認証する動作を示すフローチャートである。
【図７】図７は、認証以外の動作を実行するときの動作を示すフローチャートである。
【符号の説明】
【００５０】
１  ：原子力用定検支援装置
２  ：原子力用定検支援システム
３  ：ＰＨＳ回線
４  ：サーバ
５  ：作業者
６  ：管理区域
７  ：事務所
１１：防護服
１２：フィルムバッジ
１３：入退場タグ
１４：認証タグ
１５：バッジタグ
１６：情報処理装置
１７：タグ読取装置
１８：ＰＨＳデータ通信装置
１９：デジタルカメラ
２０：入力装置
３１：許可動作データベース
３２：バッジデータベース
３３：入退場タグデータベース
３４：認証コード読取部
３５：バッジコード読取部
３６：入退場コード読取部
３７：認証部
３８：実行部
４１：認証コード
４２：作業者
４３：許可された動作
４４：バッジコード
４５：作業者
４６：入退場コード
４７：作業者
【図１】
2005121453.tif 000003
【図２】
2005121453.tif 000004
【図３】
2005121453.tif 000005
【図４】
2005121453.tif 000006
【図５】
2005121453.tif 000007
【図６】
2005121453.tif 000008
【図７】
2005121453.tif 000009